(57)【要約】【課題】粉体ならびに粒体を内容物として収容し、該内容物を振りかけて使用する立置可能な容器を提供する。【解決手段】本考案の粉粒用容器１０は、粉体ならびに粒体を内容物Ｓとして収容し、該内容物Ｓを振りかけて使用する立置可能な容器１１であって、マチ部１２を設けてガセット袋状に形成されると共に、上部開口部１３の内側に二つ折りされる中仕切り部１４が備えられ、該中仕切り部１４に複数の所定径を有する振りかけ孔１５が穿孔されて成る手段を採る。【選択図】図１
0003220046.tif 000002
【実用新案登録請求の範囲】
【請求項１】
粉体ならびに粒体を内容物Ｓとして収容し、該内容物Ｓを振りかけて使用する立置可能な容器１１であって、
前記容器１１は、マチ部１２を設けてガセット袋状に形成されると共に、上部開口部１３の内側に二つ折りされる中仕切り部１４が備えられ、該中仕切り部１４に複数の所定径を有する振りかけ孔１５が穿孔されて成ることを特徴とする粉粒用容器１０。
【請求項２】
前記振りかけ孔１５は、前記中仕切り部１４における所定境界線１６を境に夫々径が異なる態様で穿孔されて成ることを特徴とする請求項１に記載の粉粒用容器１０。
【請求項３】
前記上部開口部１３の内側に密閉手段１７が設けられて成ることを特徴とする請求項１または請求項２に記載の粉粒用容器１０。
【請求項４】
前記容器１１の下部に密閉手段１７を有する詰め替え用の開口部１８が形成されて成ることを特徴とする請求項１から請求項３のいずれかに記載の粉粒用容器１０。
【考案の詳細な説明】
【技術分野】
【０００１】
本考案は、粉体ならびに粒体を内容物として収容し、該内容物を振りかけて使用する立置可能な容器に関するものである。
【背景技術】
【０００２】
旧来における御飯用の振りかけや調味料、香辛料などの粉状または粒状をした粉粒体を内容物として収容した粉粒用容器は、その形状構造として、缶や瓶などの容器蓋の表面に振りかけ用の小穴を多数開口して形成されている。
【０００３】
ところが、上記のような缶や瓶の容器は、流通段階で重量が嵩んだり形状が嵩張るといった問題があると共に、使用による内容物の減少に伴い、容器内の空間が増すことによって内容物が湿気によって酸化したり、劣化しやすいという問題があった。
【０００４】
これに対し、袋体容器は、流通段階における軽量化が図れると共に、形状も嵩張ることなく、使用によって内容物が減少したとしても、容器内の空間を狭めて折り畳んでいくことで、内容物が湿気によって酸化したり劣化することを防ぐ手段として有効と考えられる。
したがって、上記問題を解決することができ、粉体や粒体を振りかけ可能とする袋体容器が待たれるところであった。
【０００５】
従来より、調味料等の使用時に散布状態で少量の調味料等の使用を可能にする「袋物の一部分の適所に穴目をあけた万能袋」（特許文献１）が提案され、公知技術となっている。詳しくは、形状自在な袋物の端部の一部分に、数多くの大きさ適宜の穴目をあけたことを特徴とする調味料等の振りかけ袋である。
【０００６】
しかしながら、かかる「袋物の一部分の適所に穴目をあけた万能袋」の提案は、穴目の形状が適宜の大きさに限定されることで、少量、大量の振り分けができないと共に、ジッパーの働きが密封手段として機能せず連結手段として機能するもので、さらに、折り曲げによって密封する手段は、袋体の復元現象によって機能することがない、といった問題が残る提案であった。
【０００７】
また、内容物の減少に応じて容積も減少する粉粒体用の袋状容器において、中身の粉体や粒体を振りかけ可能とする「振りかけ式包装袋」（特許文献２）が提案され、公知技術となっている。具体的には、粉体又は粒体を包装する袋状の容器において、その開閉口より内側に閉鎖部を有し、この閉鎖部に１以上の孔を開けた振りかけ式の包装袋である。
【０００８】
しかしながら、かかる「振りかけ式包装袋」の提案は、調理時ならびに食卓時において包装袋の自立がなされないため、内容物が袋体からこぼれ出てしまう危険が存すると共に、開閉口を閉鎖する閉鎖部が設けられていることによって、内容物の充填や補填が困難な構造が採られている、といった問題が残る提案であった。
【０００９】
本出願人は、粉粒用容器としての袋体容器に着目し、粉体ならびに粒体を内容物として収容し、該内容物を振りかけて使用する立置可能な容器の提供ができないものかという着想下、袋体の自立形状と異なる孔径による内容物の振り分け構造と内容物の充填並びに補填手段を備えた粉粒用容器を開発し、本考案における「粉粒用容器」の提案に至るものである。
【先行技術文献】
【特許文献】
【００１０】
【特許文献１】特開２００４−１８９３３２号公報
【特許文献２】登録実用新案第３１２６７６９号公報
【考案の概要】
【考案が解決しようとする課題】
【００１１】
本考案は、上記問題点に鑑み、粉体ならびに粒体を内容物として収容し、該内容物を振りかけて使用する立置可能な粉粒用容器を提供することを課題とする。
【課題を解決するための手段】
【００１２】
上記課題を解決するため、本考案にかかる粉粒用容器は、粉体ならびに粒体を内容物として収容し、該内容物を振りかけて使用する立置可能な容器であって、前記容器は、マチ部を設けてガセット袋状に形成されると共に、上部開口部の内側に二つ折りされる中仕切り部が備えられ、該中仕切り部に複数の所定径を有する振りかけ孔が穿孔されて成る手段を採る。
【００１３】
また、本考案にかかる粉粒用容器は、前記振りかけ孔が、前記中仕切り部における所定境界線を境に夫々径が異なる態様で穿孔されて成る手段を採る。
【００１４】
さらに、本考案にかかる粉粒用容器は、前記上部開口部の内側に密閉手段が設けられて成る手段を採る。
【００１５】
またさらに、本考案における粉粒用容器は、前記容器の下部に密閉手段を有する詰め替え用の開口部が形成されて成る手段を採る。
【考案の効果】
【００１６】
本考案にかかる粉粒用容器によれば、容器自体が自立するガセット状の袋体容器構造を採用することによって、テーブル等の上に常時立置可能であって、調理時や食卓時において傾倒による内容物の溢出が生じない、といった優れた効果を奏する。
【００１７】
また、本考案にかかる粉粒用容器によれば、振りかけ孔が中仕切り部における所定境界線を境に夫々径が異なる態様で穿孔されていることによって、使用する分量など必要に応じて振り分けて使用することができる、といった優れた効果を奏する。
【００１８】
さらに、本考案にかかる粉粒用容器によれば、上部開口部の内側に密閉手段が設けられることによって、内容物が湿気によって酸化したり、劣化したりすることなく保つことができると共に、仮に容器が傾倒した時であっても、内容物の溢出が生じることがない、といった優れた効果を奏する。
【００１９】
またさらに、本考案にかかる粉粒用容器によれば、容器の下部に密閉手段を有する詰め替え用の開口部が形成されていることによって、製造時においては内容物の充填工程が容易であると共に、内容物が減少しても簡単に補充でき、内容物の詰め替えも容易に行うことができる、といった優れた効果を奏する。
【図面の簡単な説明】
【００２０】
【図１】本考案にかかる粉粒用容器の実施形態を示す説明図である。（実施例１）
【図２】本考案にかかる粉粒用容器の他の実施形態を示す説明図である。（実施例２）
【図３】本考案にかかる粉粒用容器の他の実施形態を示す説明図である。（実施例３）
【図４】本考案にかかる粉粒用容器の他の実施形態を示す説明図である。（実施例４）
【考案を実施するための形態】
【００２１】
本考案にかかる粉粒用容器１０は、粉体ならびに粒体を内容物Ｓとして収容し、該内容物Ｓを振りかけて使用する立置可能な容器１１であって、該容器１１は、マチ部１２を設けてガセット袋状に形成されると共に、上部開口部１３の内側に二つ折りされる中仕切り部１４が備えられ、該中仕切り部１４に複数の所定径を有する振りかけ孔１５が穿孔されて成る手段を採用したことを最大の特徴とする。
以下、本考案にかかる粉粒用容器１０の実施形態を、図面に基づいて説明する。
【００２２】
尚、本考案にかかる粉粒用容器１０は、以下に述べる実施例に限定されるものではなく、本考案の技術的思想の範囲内、すなわち同一の作用効果を発揮できる形状や構造の範囲内で、適宜変更することができる。
【実施例１】
【００２３】
図１は、本考案にかかる粉粒用容器１０の実施形態を示す説明図であり、（ａ）は全体斜視図、（ｂ）は断面図である。
本実施形態にかかる粉粒用容器１０は、容器１１と、該容器１１の上部開口部１３の内側に備えられる中仕切り部１４と、で構成されている。
【００２４】
容器１１は、フィルムや樹脂シート製の袋体の両側に、調理時や食卓時における自立を可能にするためのマチ部１２を設けることで、ガセット袋状に形成されて成る。素材となるフィルムや樹脂シートは、収容される内容物Ｓの種類や残量が視認できるよう、透明若しくは半透明であることが好ましい。
【００２５】
中仕切り部１４は、フィルムや樹脂シート製の膜体構造で、上部開口部１３の内側に該上部開口部１３を閉塞する様に貼着や溶着等により備えられ、折り目によって内側へ二つ折りされる構造となっている。該中仕切り部１４には、後述する振りかけ孔１５が複数穿孔されている。素材となるフィルムや樹脂シートは、前記容器１１の場合と異なり、必ずしも透明若しくは半透明であることを要しないが、透明や半透明であることを妨げるものでもない。
【００２６】
振りかけ孔１５は、内容物Ｓが通過して放出可能な径を有して中仕切り部１４に穿孔されるものである。該振りかけ孔１５の径については、充填される内容物Ｓの粉粒の径や振りかけ使用時の放出量を考慮して適宜決定されるもので、特に限定はない。中仕切り部１４における振りかけ孔１５の数については、複数であれば特に限定するものではなく、振りかけ使用時の放出量を考慮して適宜決定される。
【００２７】
容器１１に収容される内容物Ｓについては、特に限定するものではなく、例えば御飯用の振りかけや、調味料、香辛料などの粉状や粒状の粉粒体である。尚、該内容物Ｓについて、食品に限らず、機械系や工業系、医薬系に用いられる様なあらゆる粉粒体（例えば塗料や金属粉、薬剤など）とすることもできる。
【００２８】
以上のとおり構成される本実施形態にかかる粉粒用容器１０は、容器１１自体が自立するガセット状の袋体容器構造を採用することによって、テーブル等の上に常時立置可能であって、調理時や食卓時、作業時において傾倒による内容物Ｓの溢出が生じない粉粒用容器１０の提供を可能にするものである。
【実施例２】
【００２９】
本考案にかかる粉粒用容器１０の他の実施形態について、図２に基づき説明する。上記実施例１と同様の部分は省略する。
図２は、本考案にかかる粉粒用容器１０の他の実施形態を示す説明図であり、（ａ）は上方から見た実施形態、（ｂ）は一方に傾けた使用状態、（ｃ）は他方に傾けた使用状態を示す。
本実施形態にかかる粉粒用容器１０は、振りかけ孔１５が、中仕切り部１４における所定境界線１６を境に夫々径が異なる態様で穿孔されて成る手段を採用するものである。
【００３０】
所定境界線１６の位置については、特に限定はなく、例えば図示の様に、中仕切り部１４を横方向に略中央で二分する位置に存している。かかる所定境界線１６は、振りかけ孔１５を異なる径ごとに分ける境界を意味する概念であって、実際に図示の様な線が明示的に存するとは限らず、異なる径の振りかけ孔１５が存する範囲を夫々均等に二分する態様でなくともよい。
【００３１】
以上のとおり構成される本実施形態にかかる粉粒用容器１０は、振りかけ孔１５が、中仕切り部１４における所定境界線１６を境に夫々径が異なる態様で穿孔されることによって、例えば、粉粒用容器１０を右に傾ければ大粒の粉粒を、左に傾ければ小粒の粉粒を振り分けたり、あるいは、使用する分量など必要に応じて大径・小径の振りかけ孔１５を使い分けたりなどして、使用者の好みや必要量に合わせて適宜使用することが可能な粉粒用容器１０を提供するものである。
【実施例３】
【００３２】
本考案にかかる粉粒用容器１０の他の実施形態について、図３に基づき説明する。上記実施例１並びに実施例２と同様の部分は省略する。
図３は、本考案にかかる粉粒用容器１０の他の実施形態を示す説明図であり、（ａ）は全体斜視図、（ｂ）は断面図を示す。
本実施形態にかかる粉粒用容器１０は、上部開口部１３の内側に密閉手段１７が設けられて成る手段を採用するものである。
【００３３】
密閉手段１７は、開封した粉粒用容器１０の上部開口部１３を密封可能とすべく備えられるもので、容器１１の上部開口部１３の内側に設けられる。該密閉手段１７の具体的構造については、上部開口部１３を閉塞可能であれば常法手段を採用し得るもので、特に限定するものではないが、例えば凹凸状の嵌め込み式レールで構成された態様に形成される。
【００３４】
以上のとおり構成される本実施形態にかかる粉粒用容器１０は、上部開口部１３の内側に密封用のジッパー１７が設けられることによって、内容物Ｓが湿気によって酸化したり、劣化したりすることなく保つことができると共に、仮に容器が傾倒した時であっても、内容物の溢出が生じることがない粉粒用容器１０を提供するものである。
【実施例４】
【００３５】
本考案にかかる粉粒用容器１０の他の実施形態について、図４に基づき説明する。上記実施例１乃至実施例３と同様の部分は省略する。
図４は、本考案にかかる粉粒用容器１０の他の実施形態を示す説明図であり、（ａ）は全体斜視図、（ｂ）は断面図を示す。
本実施形態にかかる粉粒用容器１０は、容器１１の下部に密封手段１７を有する詰め替え用の開口部１８が形成されて成る手段を採用するものである。
【００３６】
詰め替え用の開口部１８は、容器１１の下部に密封手段１７を有して形成されるものである。内容物Ｓの詰め替えに際し、従来における同様の粉粒用容器によれば、粉粒用容器に備わる上部開口部１３を利用して行われるのが一般的である。しかしながら、本考案にかかる粉粒用容器１０は、上部開口部１３の内側が中仕切り部１４によって仕切られているため、上部開口部１３から詰め替え用の内容物Ｓを容器１１内に挿入することは極めて困難となる。そこで、容器１１の下部に詰め替え用の開口部１８を形成し、内容物Ｓの詰め替え後に該詰め替え用の開口部１８を密閉するべく、密封手段１７が備えられている。
【００３７】
密閉手段１７は、開封した粉粒用容器１０の詰め替え用の開口部１８を密閉可能とすべく備えられるもので、該詰め替え用の開口部１８の内側に設けられる。該密閉手段１７の具体的構造については、詰め替え用の開口部１８を閉塞可能であれば常法手段を採用し得るもので、特に限定するものではないが、例えば凹凸状の嵌め込み式レールで構成された態様に形成される。
【００３８】
以上のとおり構成される本実施形態にかかる粉粒用容器１０は、容器１１の下部に密封手段１７を有する詰め替え用の開口部１８が形成されることによって、製造時においては内容物Ｓの充填工程が容易になると共に、使用により内容物Ｓが減少しても簡単に補充でき、内容物Ｓの詰め替えも容易に行うことができる粉粒用容器１０を提供するものである。
【産業上の利用可能性】
【００３９】
本考案における粉粒用容器は、粉体ならびに粒体を内容物として収容し、該内容物を振りかけて使用することができる立置可能とし、さらに、大粒小粒の振り分けを可能とし、さらにまた密封機能を有した上に製造時においては内容物の充填工程が容易であると共に使用時において調理時や食卓時の補填が容易となることから、本考案における「粉粒用容器」の産業上の利用可能性は極めて大であるものと思料する。
【符号の説明】
【００４０】
１０    粉粒用容器
１１    容器
１２    マチ部
１３    上部開口部
１４    中仕切り部
１５    振りかけ孔
１６    所定境界線
１７    密閉手段
１８    詰め替え用の開口部
Ｓ    内容物
【図１】
0003220046.tif 000003
【図２】
0003220046.tif 000004
【図３】
0003220046.tif 000005
【図４】
0003220046.tif 000006